(57)【要約】【課題】複数発光部による複数ライン並行発光のレーザビームずれを解消する。【解決手段】像が形成される像担持体と、副走査方向に複数発光部が配列された光源と、光源からの複数の光線を第２方向に走査するよう像担持体に照射し像担持体を第１方向に駆動する走査部と、走査部の駆動と複数発光部の発光タイミングを制御する制御部とを備え、制御部は、第２方向に発光有と発光無を交互に繰り返す調整パターンの像を、光源に含まれる異なる発光部により生成するように光源を制御し、調整パターンの像を読み取って得た受光信号レベルの特性曲線、読取部の受光素子ピッチ、特性曲線の１周期に相当する読取部における受光素子数、特性曲線の１周期に相当する調整パターンの繰り返し数、位相差に相当する受光素子数、異なる発光部による調整パターンの特性曲線同士の位相差を求め、第２方向の位置ズレを算出する。【選択図】図１
2015020299.tif 000002
【特許請求の範囲】
【請求項１】
第１方向に駆動された状態で、前記第１方向に直交する第２方向に走査された光線を受けることにより像が形成される像担持体と、
複数発光部が配列された光源と、
前記光源からの複数の光線を前記第１方向に異なる位置で前記第２方向に走査するよう前記像担持体に照射しつつ、前記像担持体を前記第１方向に駆動する走査部と、
前記走査部の駆動を制御すると共に、前記複数発光部の発光タイミングを制御する制御部と、
を備え、
前記制御部は、
前記第２方向に発光有と発光無を交互に繰り返す調整パターンの像を、前記光源に含まれる異なる発光部により生成するように前記光源を制御し、
前記調整パターンの像を読み取って得た受光信号レベルの特性曲線、前記読取部の受光素子ピッチ、前記特性曲線の１周期に相当する前記読取部における受光素子数、前記特性曲線の１周期に相当する前記調整パターンの繰り返し数、前記位相差に相当する受光素子数、異なる前記発光部による前記調整パターンの特性曲線同士の位相差、を求め、
前記光源に含まれる異なる前記発光部の発光による対応する像の第２方向の位置ズレを算出する、
ことを特徴とする画像形成装置。
【請求項２】
前記制御部は、
前記第２方向に発光有と発光無を交互に繰り返す調整パターンの像を生成するように前記光源を制御すると共に、前記読取部に含まれる受光素子のピッチをｐ、前記調整パターンにおける発光有と発光無とのピッチをｐ＋δｐ、但しδｐ＜ｐ、となるように制御した場合に、
前記特性曲線の１周期に相当する前記読取部における受光素子数をＸ’、前記特性曲線の１周期に相当する前記調整パターンの繰り返し数をＸ、前記位相差に相当する受光素子数をＹ、として求め、
前記第ｍ番目発光部の発光による像のドット位置と前記第ｎ番目発光部の発光による像のドット位置との前記第２方向の位置ズレＺを、
Ｚ＝（（（Ｘ’−Ｘ）・Ｙ）／Ｘ）ｐ、として算出する、
ことを特徴とする請求項１に記載の画像形成装置。
【請求項３】
前記特性曲線は、奇数番目受光素子の受光信号値を結んだ奇数特性曲線と、偶数番目受光素子の受光信号値を結んだ偶数特性曲線とからなる、
ことを特徴とする請求項１−２に記載の画像形成装置。
【請求項４】
前記制御部は、
前記光源に含まれる前記発光部がａ個である場合に、前記走査部による前記像担持体の前記第１方向の駆動速度を通常時の１／ａに変更し、
同一の前記発光部による前記調整パターンを前記第１方向に複数回繰り返すように制御する、
ことを特徴とする請求項１−３のいずれか一項に記載の画像形成装置。
【請求項５】
前記制御部は、前記位置ズレを解消するように前記光源に含まれる前記複数発光部の発光タイミングを調整する、
ことを特徴とする請求項１−４のいずれか一項に記載の画像形成装置。
【請求項６】
第１方向に駆動された状態で、前記第１方向に直交する第２方向に走査された光線を受けることにより像が形成される像担持体と、複数発光部が配列された光源と、前記光源からの複数の光線を前記第１方向に異なる位置で前記第２方向に走査するよう前記像担持体に照射しつつ、前記像担持体を前記第１方向に駆動する走査部と、
を有する画像形成装置を制御する画像形成制御装置であって、
前記第２方向に発光有と発光無を交互に繰り返す調整パターンの像を前記光源に含まれる異なる発光部により生成するように前記光源を制御し、
前記像担持体に形成された前記調整パターンの像又は前記像担持体から別媒体に転写された前記調整パターンの像のいずれかを読取部で読み取って得た受光信号レベルの特性曲線、前記読取部の受光素子ピッチ、前記特性曲線の１周期に相当する前記読取部における受光素子数、前記特性曲線の１周期に相当する前記調整パターンの繰り返し数、前記位相差に相当する受光素子数、異なる前記発光部による前記調整パターンの特性曲線同士の位相差、を求め、
前記光源に含まれる異なる前記発光部の発光による対応する像の第２方向の位置ズレを算出し、
前記位置ズレを前記画像形成装置に通知する、
ことを特徴とする画像形成制御装置。
【請求項７】
前記第２方向に発光有と発光無を交互に繰り返す調整パターンの像を生成するように前記光源を制御すると共に、前記読取部に含まれる受光素子のピッチをｐ、前記調整パターンにおける発光有と発光無とのピッチをｐ＋δｐ、但しδｐ＜ｐ、となるように制御した場合に、
前記特性曲線の１周期に相当する前記読取部における受光素子数をＸ’、前記特性曲線の１周期に相当する前記調整パターンの繰り返し数をＸ、前記位相差に相当する受光素子数をＹ、として求め、
前記第ｍ番目発光部の発光による像のドット位置と前記第ｎ番目発光部の発光による像のドット位置との前記第２方向の位置ズレＺを、
Ｚ＝（（（Ｘ’−Ｘ）・Ｙ）／Ｘ）ｐ、として算出する、
ことを特徴とする請求項６に記載の画像形成制御装置。
【請求項８】
前記特性曲線は、奇数番目受光素子の受光信号値を結んだ奇数特性曲線と、偶数番目受光素子の受光信号値を結んだ偶数特性曲線とからなる、
ことを特徴とする請求項６−７に記載の画像形成制御装置。
【請求項９】
前記光源に含まれる前記発光部がａ個である場合に、前記走査部による前記像担持体の前記第１方向の駆動速度を通常時の１／ａに変更するよう制御し、
同一の前記発光部による前記調整パターンを前記第１方向に複数回繰り返すように制御する、
ことを特徴とする請求項６−８のいずれか一項に記載の画像形成制御装置。
【請求項１０】
前記位置ズレを解消するように前記光源に含まれる前記複数発光部の発光タイミングを調整するよう制御する、
ことを特徴とする請求項６−９のいずれか一項に記載の画像形成制御装置。
【請求項１１】
第１方向に駆動された状態で、前記第１方向に直交する第２方向に走査された光線を受けることにより像が形成される像担持体と、複数発光部が配列された光源と、前記光源からの複数の光線を前記第１方向に異なる位置で前記第２方向に走査するよう前記像担持体に照射しつつ、前記像担持体を前記第１方向に駆動する走査部と、
を有する画像形成装置を制御する画像形成装置制御方法であって、
前記第２方向に発光有と発光無を交互に繰り返す調整パターンの像を前記光源に含まれる異なる発光部により生成するように前記光源を制御し、
前記像担持体に形成された前記調整パターンの像又は前記像担持体から別媒体に転写された前記調整パターンの像のいずれかを読取部で読み取って得た受光信号レベルの特性曲線、、前記読取部の受光素子ピッチ、前記特性曲線の１周期に相当する前記読取部における受光素子数、前記特性曲線の１周期に相当する前記調整パターンの繰り返し数、前記位相差に相当する受光素子数、異なる前記発光部による前記調整パターンの特性曲線同士の位相差、を求め、
前記光源に含まれる異なる前記発光部の発光による対応する像の第２方向の位置ズレを算出する、
よう制御することを特徴とする画像形成装置制御方法。
【請求項１２】
前記第２方向に発光有と発光無を交互に繰り返す調整パターンの像を生成するように前記光源を制御すると共に、前記読取部に含まれる受光素子のピッチをｐ、前記調整パターンにおける発光有と発光無とのピッチをｐ＋δｐ、但しδｐ＜ｐ、となるように制御した場合に、
前記特性曲線の１周期に相当する前記読取部における受光素子数をＸ’、前記特性曲線の１周期に相当する前記調整パターンの繰り返し数をＸ、前記位相差に相当する受光素子数をＹ、として求め、
前記第ｍ番目発光部の発光による像のドット位置と前記第ｎ番目発光部の発光による像のドット位置との前記第２方向の位置ズレＺを、
Ｚ＝（（（Ｘ’−Ｘ）・Ｙ）／Ｘ）ｐ、として算出する、
ことを特徴とする請求項１１に記載の画像形成装置制御方法。
【請求項１３】
前記特性曲線は、奇数番目受光素子の受光信号値を結んだ奇数特性曲線と、偶数番目受光素子の受光信号値を結んだ偶数特性曲線とからなる、
ことを特徴とする請求項１１−１２に記載の画像形成装置制御方法。
【請求項１４】
前記光源に含まれる前記発光部がａ個である場合に、前記走査部による前記像担持体の前記第１方向の駆動速度を通常時の１／ａに変更するよう制御し、
同一の前記発光部による前記調整パターンを前記第１方向に複数回繰り返すように制御する、
ことを特徴とする請求項１１−１３のいずれか一項に記載の画像形成装置制御方法。
【発明の詳細な説明】
【技術分野】
【０００１】
本発明は、複写機やプリンタなどの画像形成装置及びその制御装置や制御方法に関し、特に、複数の光源からのレーザビームを用いて複数ライン分の画像を１回の走査で感光体などの記録媒体に書き込む機能を有するマルチビーム型の画像形成装置の制御に関する。
【背景技術】
【０００２】
画像形成装置として、感光体ドラムや感光体ベルト等の像担持体を第１方向（副走査方向）に駆動しつつ、画像データに応じた第２方向（主走査方向）の１ライン又は複数ライン毎の画像形成を繰り返し行うことで、２次元（１頁分毎）の画像形成を行うものが知られている。
【０００３】
その一例として、電子写真方式の画像形成装置では、画像データに応じて変調したレーザビームを像担持体の主走査方向に走査し、これと並行して、副走査方向に回転する像担持体（感光体ドラムや感光体ベルト）上に、前記レーザビームによって画像を形成している。この場合に、ドットクロックと呼ばれるクロック信号（画素クロック）を基準にして、レーザビームを画像データで変調するようにしている。
【０００４】
また、画像形成を高速に、または、高解像度で行うために、ポリゴンミラーの回転数上昇やレーザビームの変調周波数上昇では、装置の大型化やコスト上昇が発生する。そこで、高速あるいは高解像度の画像形成のため、複数のレーザビームを発生可能なレーザダイオード（ＬＤ）などの光源を備え、この複数の光源からの複数のレーザビームを用いて、画像データに応じた主走査方向の複数ライン毎の画像形成を副走査方向に繰り返して１頁分の画像形成を行うものが知られている。
【０００５】
図９は複数のレーザビームを発生可能な光源ＬＤＵであり、ここでは、ＬＢ＿１〜ＬＢ＿４の４レーザビームを発生する発光部ＬＤ＿１〜ＬＤ＿４を備えて構成されている。この場合に、光源ＬＤＵに含まれる発光部ＬＤ＿１〜ＬＤ＿４は、主走査方向に同一位置、すなわち、副走査方向に沿って配置されている。
【０００６】
一方、光源ＬＤＵを図１０のように、副走査方向に平行ではなく所定角度傾けることで、複数のレーザビームＬＢ＿１〜ＬＢ＿４それぞれのピッチを詰めることができる。すなわち、副走査方向に高精細化を実現することが可能になる。なお、この場合には、各発光部ＬＤ＿１〜ＬＤ＿４の主走査方向位置が異なる。
【０００７】
そのため、図１１のように、主走査方向の下流側に位置する発光部ＬＤ＿４、ＬＤ＿３、ＬＤ＿２、ＬＤ＿１に合わせて、駆動データＶＩＤＥＯ＿４、ＶＩＤＥＯ＿３、ＶＩＤＥＯ＿２、ＶＩＤＥＯ＿１の順にタイミングを調整して発光させるように制御する。すなわち、主走査方向下流側の発光部ほど、発光タイミングを早めるように制御する。
【０００８】
これにより、図９のように配置された光源ＬＤＵでは図１２（ａ）のようなドットのピッチであったのに対して、図１０のように配置された光源ＬＤＵでは図１２（ｂ）のような狭いドットピッチを実現できる。
【０００９】
ただし、光源ＬＤＵの個体差、光源ＬＤＵの傾け角度の誤差、駆動データのタイミングの誤差などにより、図１２（ｃ）や図１２（ｄ）のようにドットが傾いた状態に形成される場合も発生する。
【００１０】
このような傾きを有するドット群により副走査方向の線を画像形成すると、図１３のような画質の劣化が生じることになる。ここでは、本来であれば、縦方向の直線になるべきところが、波打った状態の線になっている。
【００１１】
なお、複数のレーザビームを用いる場合の調整については、以下の特許文献１に記載されている。
【先行技術文献】
【特許文献】
【００１２】
【特許文献１】特開２００２−１３７４４７号公報
【発明の概要】
【発明が解決しようとする課題】
【００１３】
以上の特許文献１では、１ビームによるドット列に対して次の１ビームによるドット列を主走査方向にずらして配置される第１パターン群と、１ビームによるドット列に対して次の１ビームによるドット列を主走査反対方向にずらして配置される第２パターン群と、による評価チャートを出力する。そして、第１パターン群と第２パターン群とで濃度差を検出して、調整を行う。
【００１４】
この調整方法では、複雑で特殊な評価チャートを必要とすることに加え、２つの濃度センサを用いるためにセンサ間の感度差により精度が低下しやすいという問題がある。また、濃度差により調整を行うため、画像形成の濃度むらなどの影響を受けて、調整の精度が低下するという問題も抱えている。
【００１５】
また、以上の評価方法では、主走査方向のドット位置ズレの有無は分かるが、どれだけずれているかを正確に判定することができない。また、ドット位置ズレの影響を小さくすることは可能であるが、ドット位置ズレを無くすことはできない。
【００１６】
本発明は、上記の課題を解決するためになされたものであって、傾いた状態の複数発光部の光源を用いた場合の複数ライン並行発光におけるレーザビームの位置ずれを適切に把握して調整することが可能な画像形成装置、画像形成制御装置および画像形成装置制御方法を実現することを目的とする。
【課題を解決するための手段】
【００１７】
（１）本発明の一側面を反映した、画像形成装置、画像形成制御装置および画像形成装置制御方法の一態様は、第１方向に駆動された状態で、前記第１方向に直交する第２方向に走査された光線を受けることにより像が形成される像担持体と、複数発光部が配列された光源と、前記光源からの複数の光線を前記第１方向に異なる位置で前記第２方向に走査するよう前記像担持体に照射しつつ、前記像担持体を前記第１方向に駆動する走査部と、前記走査部の駆動を制御すると共に、前記複数発光部の発光タイミングを制御する制御部と、を備え、前記制御部は、前記第２方向に発光有と発光無を交互に繰り返す調整パターンの像を、前記光源に含まれる異なる発光部により生成するように前記光源を制御し、前記調整パターンの像を読み取って得た受光信号レベルの特性曲線、前記読取部の受光素子ピッチ、前記特性曲線の１周期に相当する前記読取部における受光素子数、前記特性曲線の１周期に相当する前記調整パターンの繰り返し数、前記位相差に相当する受光素子数、異なる前記発光部による前記調整パターンの特性曲線同士の位相差、を求め、前記光源に含まれる異なる前記発光部の発光による対応する像の第２方向の位置ズレを算出する、ことを特徴とする。
【００１８】
（２）上記（１）において、前記制御部は、前記第２方向に発光有と発光無を交互に繰り返す調整パターンの像を生成するように前記光源を制御すると共に、前記読取部に含まれる受光素子のピッチをｐ、前記調整パターンにおける発光有と発光無とのピッチをｐ＋δｐ、但しδｐ＜ｐ、となるように制御した場合に、前記特性曲線の１周期に相当する前記読取部における受光素子数をＸ’、前記特性曲線の１周期に相当する前記調整パターンの繰り返し数をＸ、前記位相差に相当する受光素子数をＹ、として求め、前記第ｍ番目発光部の発光による像のドット位置と前記第ｎ番目発光部の発光による像のドット位置との前記第２方向の位置ズレＺを、Ｚ＝（（（Ｘ’−Ｘ）・Ｙ）／Ｘ）ｐ、として算出する、ことを特徴とする。
【００１９】
（３）上記（１）−（２）において、前記特性曲線は、奇数番目受光素子の受光信号値を結んだ奇数特性曲線と、偶数番目受光素子の受光信号値を結んだ偶数特性曲線とからなる、ことを特徴とする。
【００２０】
（４）上記（１）−（３）において、前記制御部は、前記光源に含まれる前記発光部がａ個である場合に、前記走査部による前記像担持体の前記第１方向の駆動速度を通常時の１／ａに変更し、同一の前記発光部による前記調整パターンを前記第１方向に複数回繰り返すように制御する、ことを特徴とする。
【００２１】
（４）上記（１）−（３）において、前記制御部は、前記位置ズレを解消するように前記光源に含まれる前記複数発光部の発光タイミングを調整する、ことを特徴とする。
【発明の効果】
【００２２】
（１）本発明の一側面を反映した、画像形成装置、画像形成制御装置および画像形成装置制御方法の一態様では、第１方向（副走査方向）に駆動される像担持体に対して、第１方向に複数発光部が配列された光源を用いて、第１方向に直交する第２方向（主走査方向）に光線を走査して画像を形成する際に、第２方向に発光有と発光無を交互に繰り返す調整パターンの像を、光源に含まれる異なる発光部により生成するように光源を制御し、調整パターンの像を読み取って得た受光信号レベルの特性曲線、読取部の受光素子ピッチ、特性曲線の１周期に相当する読取部における受光素子数、特性曲線の１周期に相当する調整パターンの繰り返し数、位相差に相当する受光素子数、異なる発光部による調整パターンの特性曲線同士の位相差、を求め、光源に含まれる異なる発光部の発光による対応する像の第２方向の位置ズレを算出する。
【００２３】
この結果、傾いた状態の複数発光部の光源を用いた場合の複数ライン並行発光におけるレーザビームの位置ずれを算出することにより、適切に把握することが可能になる。
（２）上記（１）において、読取部に含まれる受光素子のピッチをｐ、調整パターンにおける発光有と発光無とのピッチをｐ＋δｐ、但しδｐ＜ｐ、とした場合に、特性曲線の１周期に相当する読取部における受光素子数をＸ’、特性曲線の１周期に相当する調整パターンの繰り返し数をＸ、位相差に相当する受光素子数をＹ、として求め、第ｍ番目発光部の発光による像のドット位置と第ｎ番目発光部の発光による像のドット位置との第２方向の位置ズレＺを、Ｚ＝（（（Ｘ’−Ｘ）・Ｙ）／Ｘ）ｐ、として算出する。
【００２４】
この結果、傾いた状態の複数発光部の光源を用いた場合の複数ライン並行発光におけるレーザビームの位置ずれを、計算により正確に算出することができ、適切に把握することが可能になる。
【００２５】
（３）上記（１）−（２）において、特性曲線は、奇数番目受光素子の受光信号値を結んだ奇数特性曲線と、偶数番目受光素子の受光信号値を結んだ偶数特性曲線とからなるため、特性曲線の周期や位相差を容易に検出することが可能になる。
【００２６】
（４）上記（１）−（３）において、制御部は、光源に含まれる発光部が第１方向にａ個である場合に、走査部による像担持体の第１方向の駆動速度を通常時の１／ａに変更し、同一の発光部による調整パターンを第１方向に複数回繰り返す。これにより、調整パターンが第１方向に連続した線になり、読取部での読み取りが容易になる。
【００２７】
（５）上記（１）−（４）において算出された位置ズレに対して、この位置ズレを解消するように、光源に含まれる複数発光部の発光タイミングを調整する。
この結果、傾いた状態の複数発光部の光源を用いた場合の複数ライン並行発光におけるレーザビームの位置ずれを、計算により正確に解消することが可能になる。また、算出された位置ズレに基づいて発光タイミングを調整するため、微調整を複数回繰り返す必要はなく、適切な調整が簡潔に実行できる。
【図面の簡単な説明】
【００２８】
【図１】本発明の実施形態の画像形成装置の構成を示すブロック図である。
【図２】本発明の一実施形態の画像形成装置の構成を示す説明図である。
【図３】本発明の一実施形態の画像形成装置の動作を示す説明図である。
【図４】本発明の一実施形態の画像形成装置の動作を示す説明図である。
【図５】本発明の一実施形態の画像形成装置の動作を示すフローチャートである。
【図６】本発明の一実施形態の画像形成装置の動作を示す説明図である。
【図７】本発明の一実施形態の画像形成装置の動作を示す説明図である。
【図８】本発明の一実施形態の画像形成装置の動作を示す説明図である。
【図９】複数発光部の光源の様子を示す説明図である。
【図１０】傾いた状態の複数発光部の光源の様子を示す説明図である。
【図１１】傾いた状態の複数発光部の光源の駆動の様子を示す説明図である。
【図１２】複数発光部の光源により形成されるドットの様子を示す説明図である。
【図１３】複数発光部の光源により形成されるドットの様子を示す説明図である。
【発明を実施するための形態】
【００２９】
以下、図面を参照して本発明を実施するための最良の形態（実施形態）を詳細に説明する。
〔第一実施形態〕
本実施形態が適用される画像形成装置は、複数の光源からの複数ｎ本のレーザビームを像担持体の主走査方向に走査して、複数ｎライン分の発光を並行して行うマルチビーム型の画像形成装置である。
【００３０】
以下、本実施形態のマルチビーム型の画像形成装置１００の第１の実施形態の構成を、図１と図２に基づいて詳細に説明する。なお、図１では画像形成装置１００全体の構成をブロック図として示し、図２は光学系１７０近傍を斜視図として示している。
【００３１】
なお、この実施形態では、画質を劣化させることなく、複数のレーザビームを用いる画像形成装置１００の基本的な構成要件を中心に説明する。したがって、画像形成装置１００として一般的であり、周知となっている構成要件については省略している。
【００３２】
〔実施形態の構成〕
この図１に示すように画像形成装置１００は、画像形成装置１００の各部を制御するためにＣＰＵなどで構成されて画像データや所定の命令データに応じてレーザの発光の制御を行う全体制御部１０１と、画像形成プログラムや調整プログラム等の各種プログラムや調整パターンデータ等の各種パラメータを記憶しておく記憶手段としての記憶部１０３と、操作者による操作入力に応じた操作入力信号を全体制御部１０１に通知すると共に全体制御部１０１からの指示により各種情報表示とを行う操作表示手段としての操作部１０５と、原稿の画像を読み取って画像データを生成する読み取り手段としての読取部１１０と、全体制御部１０１からの指示に基づいて外部から入力される画像データあるいは読取部１１０での読み取りにより生成される画像データに対して画像形成に必要な画像処理を施す画像処理部１２０と、全体制御部１０１の制御に基づいて画像データに応じて光源の発光駆動を制御するレーザ制御部１３０と、画像形成を行う画像形成部としてのプリントエンジン１４０と、プリントエンジン１４０中で複数ｎ本のレーザビームの発光と走査とを行うプリントヘッド１５０と、光源としてのレーザダイオードを駆動するレーザ駆動回路１６０と、レーザダイオードからの複数ｎ本のレーザビームで感光体に対して走査を行うための光学部品で構成された光学系１７０と、プリントヘッド１５０によるレーザビームの走査を受けてトナー像を形成するプロセスユニット１８０と、を備えて構成されている。
【００３３】
また、主走査方向に発光有と発光無を交互に繰り返す調整パターンの像がプリントエンジン１４０により形成された場合に、読取部１１０で所定の調整パターンを読み取って得られる調整パターン画像データから、複数発光部のレーザビームの位置ズレを算出する発光位置ズレ制御部１９０を備えて構成される。ここで、全体制御部１０１とレーザ制御部１３０と発光位置ズレ制御部１９０とを合わせて、制御部として扱うことが可能である。
【００３４】
なお、図１では読取部１１０と発光位置ズレ制御部１９０とが画像形成装置１００に含まれる状態を示すが、これに限定されるものではない。例えば、読取部１１０は、画像形成装置１００において原稿を読み取る読取部１１０とは別に、像担持体や転写後の用紙において調整パターンを読み取るセンサであっても良いし、画像形成装置１００の外部のスキャナであっても良い。同様に、発光位置ズレ制御部１９０は、画像形成装置１００外部に存在する画像形成制御装置として構成されても良い。
【００３５】
なお、画像形成装置１００の調整モード時には、発光位置ズレ制御部１９０は、複数発光部の発光タイミングを制御する際に、主走査方向にに発光有と発光無を交互に繰り返す調整パターンの像を生成するようにレーザ制御部１３０とプリントエンジン１４０とを制御し、該調整パターンの像の読み取り結果から発光位置ズレ制御部１９０が算出した複数発光部のレーザビームの位置ズレに基づいて複数発光部の発光タイミングを決定するよう制御する。
【００３６】
また、図２において、プリントヘッド１５０に含まれる光学系１７０は、複数レーザビームを発生させる複数発光部を備える光源としてのレーザダイオード１７１、レーザビームを光学的に各種補正をするコリメータレンズ１７２とシリンドリカルレンズ１７３、レーザビームを主走査方向に走査するポリゴンミラー１７４、光学的に走査角度の補正を行うｆθレンズ１７５、光学的な補正を行うシリンドリカルレンズ１７６、水平同期信号検出のためのミラー１７７、水平同期信号検出のための水平同期センサ１７８とを備えて構成されている。
【００３７】
なお、この図２でレーザダイオード１７１として示した部分は、実際には複数のレーザダイオードから構成され複数のレーザビームを合成する光学部を含んで構成されたものでもよいし、一体に形成された複数ビームレーザアレイであってもよい。
【００３８】
なお、この図１では紙面の都合で４ラインのレーザビームが生成される状態を示しているが、４ラインに限定されるものではない。そして、以上のようにして走査される複数のレーザビームが像担持体としての感光体ドラム１８１上に走査され、感光体ドラム１６１の回転を副走査方向の走査として、感光体ドラム１８１表面にはレーザビームに応じた潜像が形成される。ここで、レーザビームを走査する方向が主走査方向、感光体ドラム１８１の回転方向が副走査方向である。
【００３９】
そして、レーザダイオード１７１は図１０のように斜めに配置されているものの、発光タイミングの調整により、感光体ドラム１８１上で複数のレーザビームは副走査方向に配列されている。
【００４０】
なお、感光体ドラム１８１はプロセスユニット１８０に含まれ、レーザビームの走査を受けて感光体ドラム１８１上に静電潜像が形成され、この静電潜像は図示されない現像部によりトナー像にされ、さらに図示されない転写部によってトナー像が感光体ドラム１８１から用紙に転写される。また、カラー画像形成装置の場合には、ここに示したプリントヘッド１５０やプロセスユニット１８０を色数分配置する。
【００４１】
なお、以上の構成において、画像処理部１２０は画像形成に必要な各種の画像処理を施す画像処理部であり、この実施形態では複数発光部を有する光源としてのレーザダイオード１７１で並行露光を行うために、複数の光源に対応して、各ライン分の画像データを並行して出力する機能を有している。または、画像処理部１２０からは１ライン分ずつの画像データが出力されていて、レーザ制御部１３０において複数ライン分の画像データを蓄積して、複数ライン分並行してレーザダイオード１７１を駆動するようにしてもよい。
【００４２】
また、レーザダイオード１７１は、図１０において光源ＬＤＵとして説明したように、複数発光部が副走査方向に完全に平行ではなく、図１０のように所定角度傾けた状態で配置されている。さらに、レーザ制御部１３０の制御により、主走査方向の下流側に位置する発光部ＬＤ＿４、ＬＤ＿３、ＬＤ＿２、ＬＤ＿１に合わせて、駆動データＶＩＤＥＯ＿４、ＶＩＤＥＯ＿３、ＶＩＤＥＯ＿２、ＶＩＤＥＯ＿１の順にタイミングを調整して発光させるように制御することで、図１２（ｂ）のような狭いドット間隔を実現しようとしている。ただし、レーザダイオード１７１の個体差、レーザダイオード１７１の傾け角度の誤差、駆動データのタイミングの誤差などにより、図１２（ｃ）や図１２（ｄ）のようにドットが傾いた状態に形成される問題が生じている。
【００４３】
〔調整パターン〕
以下、図３と図４の説明図を参照して、本実施形態の画像形成装置１００における調整パターンの基本部分について説明する。
【００４４】
なお、図３は、図４の部分（開始部分）拡大図である。ここでは、副走査方向を第１方向、主走査方向を第２方向としている。
図３（ａ）は、主走査方向に発光有と発光無を交互に繰り返す調整パターンの像を、副走査方向に繰り返して形成した状態を示している。すなわち、副走査方向の黒線と空白線とが、主走査方向に繰り返す状態の調整パターンが形成されている。
【００４５】
なお、印刷分野では黒線と空白線を１ペアと扱い、黒線のライン数（ラインペア）をカウントすることが一般的である。しかし、本実施形態では、調整パターンにより形成される縦線と受光素子の素子番号との対応関係を考慮し、黒線（黒ライン）と空白線（白ライン）とで２ラインとカウントする、いわゆるＴＶ解像度に準じた方式で計算する例で説明を行うことにする。
【００４６】
なお、黒線と空白線とを１ペアとするラインペアでカウントした場合には、後述する説明中のライン数を１／２すれば良いため、処理内容や計算結果が根本的に変化することはない。
【００４７】
ここで、図３（ａ）の調整パターンは、図３（ｂ）の読取部１１０により読み取られる。この図３の状態では、各受光素子に＃１〜＃１４の番号を付してある。そして、読取部１１０に含まれる受光素子のピッチ（隣接する受光素子間隔）をｐ、調整パターンにおける発光有と発光無とのピッチをｐ＋δｐ、但しδｐ＜ｐ、となるように制御しておく。
【００４８】
なお、発光有と発光無とを１ドットで繰り返して生成される調整パターンのピッチｐ１が、受光素子ピッチｐに比較して著しく小さくて、上述したｐとｐ＋δｐの関係を満たさない場合には、複数ドット発光有、複数ドット発光無のようにする。
【００４９】
受光素子＃１と調整パターンの黒線とが一致する状態に位置決めした場合、受光素子＃１は黒線を読み取るため、その受光信号値は０近傍の最小値になる。そして、調整パターンのピッチｐ+δｐと受光素子ピッチｐとの差により、奇数番目の受光素子＃３、受光素子＃５と、徐々に黒線がずれて空白線が入り込むため、徐々に受光信号値が上昇する（図３（ｃ））。なお、この奇数番目の受光信号値を結ぶと滑らかな特性曲線（奇数特性曲線）となる。
【００５０】
一方、受光素子＃２は調整パターンの空白線と一致する状態であり、受光素子＃２は空白線を読み取るため、の受光信号値は最大値近傍になる。そして、調整パターンのピッチｐ+δｐと受光素子ピッチｐとの差により、偶数番目の受光素子＃４、受光素子＃６と、徐々に空白線に対して黒線が入り込むため、徐々に受光信号値が下降する（図３（ｃ））。なお、この偶数番目の受光信号値を結ぶと滑らかな特性曲線（偶数特性曲線）となる。
【００５１】
なお、「特性曲線」とは、本実施形態においては、奇数番目または偶数番目のいずれかの信号値を結ぶことにより生成される曲線を意味している。
また、このように調整パターンと受光素子との位置関係が徐々にずれていく現象は、異なるピッチの濃淡が重なり合って発生する「モアレ」の原理と類似している。
【００５２】
図３で示した調整パターン、受光素子、受光信号値の特性を、主走査方向に更に長く示すと、図４の状態になる。
この図４では、受光素子＃１と受光素子＃４３とで、黒線が受光素子の位置と一致した状態（受光信号値＝最低）であることが読み取れる。すなわち、調整パターン中の黒線と空白線の合計４０ライン（４０（ｐ＋δｐ））が特性曲線の１周期λとして、４２受光素子分（４２ｐ）と一致していることが読み取れる。
【００５３】
この場合、４０（ｐ＋δｐ）＝４２ｐであるため、δｐ＝０．０５ｐである。すなわち、受光素子ピッチｐに対して、調整パターンにおける発光有と発光無とのピッチ（ｐ＋δｐ）は、１．０５ｐであることが分かる。
【００５４】
〔実施形態の動作〕
以下、図５のフローチャート、図６と図７の調整パターン読み取り状態説明図を参照して、本実施形態の画像形成装置１００の動作について説明する。なお、発光位置ズレ制御部１９０が画像形成装置１００の外部であることも可能であるが、ここでは、発光位置ズレ制御部１９０が画像形成装置１００の内部に存在しているとして説明する。
【００５５】
全体制御部１０１は、画像形成装置１００の状態、操作部１０５からの入力、図示されない外部機器からの指示等を監視しており、これらに基づいて画像形成装置１００の動作モードを決定する。調整の指示が入力されると、全体制御部１０１は画像形成装置１００を調整モードとして動作させる。
【００５６】
この調整モード時には、全体制御部１０１は、画像形成装置１００の各部を制御する権限を発光位置ズレ制御部１９０に委譲する。
この調整モードにおいて、発光位置ズレ制御部１９０は、副走査方向速度、すなわち、感光体ドラム１８１の回転速度と用紙の搬送速度を、１／（発光ビーム数）になるように制御する。ここでは、レーザダイオード１７１が４ビームであるので、副走査方向速度を通常時の１／４に制御する（図５中のステップＳ１０１）。
【００５７】
そして、発光位置ズレ制御部１９０は、第ｍ番目の発光部、例えば、端部に位置する第１番目の発光部により、主走査方向に発光有と発光無とを交互に繰り返す調整パターンの像を、副走査方向に所定ライン数分繰り返して生成するように、レーザ制御部１３０とプリントヘッド１５０とを駆動制御する（図５中のステップＳ１０２）。なお、この段階は、図３又は図４に示した状態と同じである。
【００５８】
また、発光位置ズレ制御部１９０は、第ｎ番目の発光部、例えば、上記ｍと反対側の端部に位置する第４番目の発光部により、主走査方向に発光有と発光無とを交互に繰り返す調整パターンの像を、副走査方向に所定ライン数分繰り返して生成するように、レーザ制御部１３０とプリントヘッド１５０とを駆動制御する（図５中のステップＳ１０３）。
【００５９】
なお、ここでは、複数発光部の両端部を用いることが正確な測定を行う上では最も望ましいが、これに限定されるものではない。
そして、以上のように形成された調整パターンを、発光位置ズレ制御部１９０の指示に基づいて、読取部１１０が読み取る（図５中のステップＳ１０４）。なお、読取部１１０での読み取りは、感光体ドラム１８１表面でのトナー像の読み取り、感光体ドラム１８１から転写された用紙（搬送中）での読み取り、画像形成装置１００から出力された用紙を読取部にセットした状態での読み取り、のいずれであっても良い。
【００６０】
このように形成された調整パターンの読み取りについて、図６と図７を参照して説明する。なお、図６は、図７の部分（開始部分）拡大図である。ここでは、副走査方向を第１方向、主走査方向を第２方向としている。
【００６１】
図６と図７において（ａ１）は、第１番目の発光部により、主走査方向に発光有と発光無を交互に繰り返す調整パターンの像を副走査方向に繰り返した状態を示している。すなわち、副走査方向の黒線と空白線とが主走査方向に繰り返す状態の調整パターンが形成されている。
【００６２】
なお、発光位置ズレ制御部１９０が副走査方向速度を１／（発光ビーム数）にしているため、複数発光部であるにもかかわらず、同一の発光部による調整パターン（黒線、空白線）が副走査方向に連続した線になり、読取部１１０での読み取りが容易になる。
【００６３】
図６と図７において（ａ２）は、第４番目の発光部により、主走査方向に発光有と発光無を交互に繰り返す調整パターンの像を副走査方向に繰り返した状態を示している。すなわち、副走査方向の黒線と空白線とが主走査方向に繰り返す状態の調整パターンが形成されている。
【００６４】
なお、図９〜図１３で説明したように、第１番目の発光部による位置と第４番目の発光部による位置とは、完全に副走査方向に揃っておらず、図６に示すように、主走査方向にＺの位置ズレを有しているとする。
【００６５】
図３と図４において説明した場合と同様に、この図７では、（ａ１）と（ａ２）とを読取部１１０で読み取って得た結果により、発光位置ズレ制御部１９０は、奇数番目受光素子の受光信号値による奇数特性曲線と、偶数番目受光素子の受光信号値による偶数特性曲線とを、作成する。
【００６６】
図６と図７とにおいて、細実線は調整パターン（ａ１）を読み取ってた奇数番目の受光信号値の特性曲線「第１奇数特性曲線」、太実線は調整パターン（ａ１）を読み取ってた偶数番目の受光信号値の特性曲線「第１偶数特性曲線」、細破線は調整パターン（ａ２）を読み取ってた奇数番目の受光信号値の特性曲線「第２奇数特性曲線」、太破線は調整パターン（ａ２）を読み取ってた偶数番目の受光信号値の特性曲線「第２偶数特性曲線」、である。
【００６７】
また、「第１奇数特性曲線」と「第１偶数特性曲線」とを総称して「第１特性曲線」と呼び、「第２奇数特性曲線」と「第２偶数特性曲線」とを総称して「第２特性曲線」と呼ぶ。
【００６８】
そして、発光位置ズレ制御部１９０は、以上の特性曲線から、特性曲線周期の１周期λが調整パターン何ライン分に相当するかと、受光素子何素子分に相当するかを、検出する。同様に、発光位置ズレ制御部１９０は、以上の特性曲線から、第１特性曲線と第２特性曲線の位相差Ｐdifが、受光素子何素子分に相当するかを検出する（図５中のステップＳ１０５）。
【００６９】
図７では、第１奇数特性曲線において、受光素子＃１と受光素子＃４３とで、黒線が受光素子の位置と一致した状態（受光信号値＝最低）であることが読み取れる。すなわち、調整パターン中の黒線と空白線の合計４０ライン（４０（ｐ＋δｐ））が特性曲線の１周期λとして、４２受光素子分（４２ｐ）と一致していることが読み取れる。
【００７０】
ここで、特性曲線１周期λに相当する調整パターンのライン数（＝調整パターンの繰り返し数、以下「１周期ライン数」）をＸとする。本実施形態の具体例においては、Ｘ＝４０である。また、特性曲線１周期λに相当する受光素子数（以下、「１周期受光素子数」）をＸ’とする。本実施形態の具体例においては、Ｘ’＝４２である。また、Ｘ’−Ｘ＝δｘとし、ここではδｘ＝２である。なお、このＸは、受光素子ピッチと調整パターンピッチとの差δｐに反比例した値である。
【００７１】
また、図７において、第１奇数特性曲線と第１偶数特性曲線との交点（以下、第１交点）と、第２奇数特性曲線と第２偶数特性曲線との交点であって上記第１交点と同位相の交点（以下、第２交点）との位相差Ｐdifが、８受光素子分（８ｐ）であることが読み取れる。なお、第１奇数特性曲線（又は第１偶数特性曲線）の最大値（又は最小値）と、第２奇数特性曲線（又は第２偶数特性曲線）の最大値（又最小値）とから位相差Ｐdifを求めることも可能である。ここで、特性曲線の位相差Ｐdifに相当する受光素子数（特性曲線位相差受光素子数）をＹとする。本実施形態の具体例においてＹ＝８である。なお、このＹは、調整パターンの位置ズレＺと上述した特性曲線１周期λとに比例した値である。
【００７２】
そして、発光位置ズレ制御部１９０は、以上のように求めた、１周期ライン数Ｘ、１周期受光素子数Ｘ’、特性曲線位相差受光素子数Ｙ、受光素子ピッチｐから、調整パターン（ａ１）と（ａ２）の主走査方向の位置ズレＺを算出する（図５中のステップＳ１０６）。
【００７３】
ここで、図７と同様の状態を示す図面である図８を参照する。なお、この図８では、調整パターンのラインについても、受光素子＃１側から順に数えるものとする。
調整パターン（ａ１）では、１ライン目の黒線が受光素子＃１と一致している。一方、位相差Ｐdif（＝Ｙｐ＝８ｐ）を有する調整パターン（ａ２）では、５本目の黒線（黒線と空白線を各１ライン（合計２ライン）とすると９ライン目の線）が受光素子＃９と一致している。
【００７４】
この状態において、調整パターン（ａ１）において、４本の黒線と４本の空白線（合計８ライン）の両端（主走査方向の始端〜終端）間の距離は８（ｐ＋δｐ）となる。
また、この状態で、調整パターン（ａ１）の１本目の黒線から調整パターン（ａ２）の５本目の黒線（黒線と空白線を各１ライン（合計２ライン）とすると９ライン目の線）の両端（主走査方向の始端〜終端）間の距離は、Ｙｐである。
【００７５】
さらに、調整パターン（ａ１）の５本目の黒線（黒線と空白線を各１ラインとすると９ライン目の線）と調整パターン（ａ２）の５本目の黒線（黒線と空白線を各１ラインとすると９ライン目の線）との間の距離は、主走査方向位置ズレＺである。
【００７６】
よって、以上の数式を整理すると、図８からも明らかなように、特性曲線１周期λについて、
λ＝Ｘ（ｐ＋δｐ）＝Ｘ’ｐ＝（Ｘ＋δｘ）ｐである。
【００７７】
この式を変形して、
δｐ＝（δｘ／Ｘ）ｐとなる。
また、特性曲線位相差受光素子数Ｙについては、
Ｙ（ｐ＋δｐ）＝Ｙｐ＋Ｚである。
【００７８】
また、この式を変形すると、
Ｚ＝Ｙδｐとなる。
よって、以上のＺ＝Ｙδｐに、
上述したδｐ＝（δｘ／Ｘ）ｐを代入して、
Ｚ＝（（δｘ・Ｙ）／Ｘ）ｐあるいは、
Ｚ＝（（（Ｘ’−Ｘ）・Ｙ）／Ｘ）ｐと求めることができる。
【００７９】
すなわち、第１調整パターン（ａ１）と第２調整パターン（ａ２）との主走査方向の位置ズレＺを、１周期ライン数Ｘ、１周期受光素子数Ｘ’、特性曲線位相差受光素子数Ｙ、受光素子ピッチｐから、算出することができる。
【００８０】
例えば、読取部１１０が６００dpiの受光素子列である場合には、受光素子ピッチｐ＝４２．３μm である。ここで、１２００dpiの画像形成装置を用いる場合に、黒線２ライン、空白線２ラインの繰り返しの調整パターンを作成する。
【００８１】
このとき、１周期ライン数Ｘ＝１００、１周期受光素子数Ｘ’＝１０２、特性曲線位相差受光素子数Ｙ＝１０、であったとする。
この場合、第１調整パターン（ａ１）と第２調整パターン（ａ２）との主走査方向の位置ズレＺは、Ｚ＝（（δｘ・Ｙ）／Ｘ））ｐ＝（２・１０／１００）×４２．３μm ＝８．５μm と求めることができる。
【００８２】
この場合、読取部１１０の受光素子ピッチｐは、読取部１１０のセンサの特性として、製造メーカーより正確な値を入手することができる。また、１周期ライン数Ｘや、１周期受光素子数Ｘ’や、特性曲線位相差受光素子数Ｙについては、各受光素子の受光信号値から特性曲線を求めているので、十分正確な値となる。
【００８３】
また、Ｚが、Ｚ自信よりも十分に大きな値であるＸやＹに投影されているため、誤差の影響が極めて小さくなる。
また、特定の受光信号値そのものを用いることはなく、また、ピッチの差であるδｐの値を最終計算に直接使用することもないので、誤差の影響が極めて小さくなっている。
【００８４】
更に、この実施形態では、Ｚが計算により絶対値として算出されるため、調整パターン形成、読み取り、Ｚ算出、調整値決定の一連の処理が一度で済む。すなわち、相対的な調整を繰り返して誤差を収束させるような処理は必要ない。従って、調整を極めて短時間で完了させることができる。
【００８５】
そして、発光位置ズレ制御部１９０は、以上のように求めた、調整パターン（ａ１）と（ａ２）の主走査方向の位置ズレＺから、このＺを解消するのに必要な発光タイミングの調整値を算出し、レーザ制御部１３０に通知する（図５中のステップＳ１０７）。なお、この調整値は、算出された位置ズレＺと、レーザビームの感光体ドラム１８１上での走査速度とから計算により求めることができる。なお、図１０と図１１で説明したように、発光部の傾き（主走査方向の位置の違い）に応じてレーザ制御部１３０は発光タイミングを調整しており、この調整に関して発光位置ズレ制御部１９０からの調整値を加味する。
【００８６】
また、発光位置ズレ制御部１９０は、レーザ制御部１３０への通知の後に、調整完了の旨を全体制御部１０１に通知する。これにより、全体制御部１０１は、画像形成装置１００の各部を通常動作に戻すよう制御する。
【００８７】
通常モードの画像形成時において、レーザ制御部１３０では、通知された調整値を加味して複数発光部の発光タイミングを調整することで、図１２（ｃ）や図１２（ｄ）のような傾きを解消して、図１２（ｂ）のように副走査方向に整列した状態のレーザビームの走査を行えるようになる。
【００８８】
〔その他の実施形態〕
なお、カラー画像形成装置の場合には、以上のような調整を各色毎に実行することが望ましい。
【００８９】
また、以上の説明では、レーザダイオード１７１は傾いた状態の複数の発光部を有するとしていたが、これに限定されるものではない。たとえば、副走査方向に直線状に並んでいるはずの複数の発光部を有するレーザダイオード１７１が何らかの理由で傾いてしまっている場合にも本実施形態を適用して、複数ライン並行発光時のレーザビームの歪みを矯正することが可能である。
【００９０】
また、以上の実施形態は、レーザビームを用いた電子写真方式の画像形成装置に用いることが好適であるが、これ以外にも、レーザビームを用いて印画紙に露光を行うレーザイメージャなど、各種の画像形成装置に本発明の各実施形態を適用することが可能であり、良好な結果を得ることが可能である。
【００９１】
また、光源としては、レーザダイオード（ＬＤ）以外の他の光源を用いた場合であっても適用することが可能である。
【００９２】
また、発光位置ズレ制御部１９０を全体制御部１０１に内蔵させることも可能であり、逆に、発光位置ズレ制御部１９０を外部の画像形成制御装置として構成することも可能である。
【符号の説明】
【００９３】
１００  画像形成装置
１０１  全体制御部
１０３  記憶部
１０５  操作部
１１０  読取部
１２０  画像処理部
１３０  レーザ制御部
１４０  プリントエンジン
１５０  プリントヘッド
１６０  レーザ駆動回路
１７０  光学系
１８０  プロセスユニット
１９０  発光位置ズレ制御部
【図１】
2015020299.tif 000003
【図２】
2015020299.tif 000004
【図３】
2015020299.tif 000005
【図４】
2015020299.tif 000006
【図５】
2015020299.tif 000007
【図６】
2015020299.tif 000008
【図７】
2015020299.tif 000009
【図８】
2015020299.tif 000010
【図９】
2015020299.tif 000011
【図１０】
2015020299.tif 000012
【図１１】
2015020299.tif 000013
【図１２】
2015020299.tif 000014
【図１３】
2015020299.tif 000015